(57)【要約】【課題】操縦性がよく且つ作業性の高い手押しカートを提供すること。【解決手段】手押しカート１０は、フレーム２０に、複数の車輪１２〜１５と、作業者Ｍｎが掴むハンドル１６とを備えている。フレームには、回転軸が設けられ、この回転軸１８に複数の物置部３０を備えている。このことにより、物置部３０は、ハンドル１６からの距離を調節可能とされると共に、互いの位置を上下に入れ替え可能とされている。複数の物置部３０は、回転軸１８の外周に、互いに均等な間隔を保って配置されている。フレーム２０には、電動モータ５１が取付けられ、この電動モータ５１の出力によって物置部３０を変位駆動する。【選択図】図３
2014088140.tif 000002
【特許請求の範囲】
【請求項１】
フレームに、複数の車輪と、作業者が掴むハンドルとを備えている手押しカートにおいて、
前記フレームは、前記ハンドルからの距離を調節可能な、少なくとも１つの物置部を備えていることを特徴とする手押しカート。
【請求項２】
前記物置部は、複数であり、互いの位置を入れ替え可能な構成であることを特徴とする請求項１記載の手押しカート。
【請求項３】
前記物置部は、上下に入れ替え可能な構成であることを特徴とする請求項２記載の手押しカート。
【請求項４】
前記フレームには、回転軸が設けられ、
前記物置部は、前記回転軸に取付けられていることを特徴とする請求項２又は請求項３記載の手押しカート。
【請求項５】
前記複数の物置部は、前記回転軸の外周に、互いに均等な間隔を保って配置されていることを特徴とする請求項４記載の手押しカート。
【請求項６】
前記複数の物置部は、互いに離間して配置されていることを特徴とする請求項２〜請求項４のいずれか１項記載の手押しカート。
【請求項７】
フレームに、複数の車輪と、作業者が掴むハンドルとを備えている手押しカートにおいて、
前記フレームに設けられた回転軸と、この回転軸に支えられると共に前記回転軸を中心として旋回する複数の物置部とを備えていることを特徴とする手押しカート。
【請求項８】
前記フレームには、電動モータが取付けられ、この電動モータの出力によって前記物置部を変位駆動することを特徴とする請求項１〜請求項７のいずれか１項記載の手押しカート。
【発明の詳細な説明】
【技術分野】
【０００１】
本発明は、手押しカートの改良技術に関する。
【背景技術】
【０００２】
店舗において買い物をする際に、重い商品を購入し、運搬することがある。このような場合に、手押しカートが用いられる。手押しカートには、商品を載せる物置部が備えられている。作業者は、任意の商品を物置部に載置し、カートを手押しして商品を運搬する（例えば、特許文献１（図１）参照。）。
【０００３】
特許文献１に示されるような、手押しカートは、フレームに、複数の車輪と、作業者が掴むハンドルとを備えている。ハンドルの前方には、荷物を載せるための上部物置部が設けられ、この上部物置部の下方にも荷物を載せるための下部物置部が設けられている。
【０００４】
このような手押しカートによれば、上部物置部に重量物を載置した場合には、重心が高くなる。重心が高くなると、カートの操縦性が低下する。一方、下部物置部に重量物を載せた場合には、重量物を低い位置に載せているため、手押しカートからレジへの重量物の載替えが大変である。即ち、作業性が低下する。
【先行技術文献】
【特許文献】
【０００５】
【特許文献１】特許第４５５８５３２号公報
【発明の概要】
【発明が解決しようとする課題】
【０００６】
本発明は、操縦性がよく且つ作業性の高い手押しカートの提供を課題とする。
【課題を解決するための手段】
【０００７】
請求項１に係る発明は、フレームに、複数の車輪と、作業者が掴むハンドルとを備えている手押しカートにおいて、
前記フレームは、前記ハンドルからの距離を調節可能な、少なくとも１つの物置部を備えていることを特徴とする。
【０００８】
請求項２に係る発明は、前記物置部は、複数であり、互いの位置を入れ替え可能な構成であることを特徴とする。
【０００９】
請求項３に係る発明は、前記物置部は、上下に入れ替え可能な構成であることを特徴とする。
【００１０】
請求項４に係る発明は、前記フレームには、回転軸が設けられ、
前記物置部は、前記回転軸に取付けられていることを特徴とする。
【００１１】
請求項５に係る発明は、前記複数の物置部は、前記回転軸の外周に、互いに均等な間隔を保って配置されていることを特徴とする。
【００１２】
請求項６に係る発明は、前記複数の物置部は、互いに離間して配置されていることを特徴とする。
【００１３】
請求項７に係る発明は、フレームに、複数の車輪と、作業者が掴むハンドルとを備えている手押しカートにおいて、
前記フレームに設けられた回転軸と、この回転軸に支えられると共に前記回転軸を中心として旋回する複数の物置部とを備えていることを特徴とする。
【００１４】
請求項８に係る発明は、前記フレームには、電動モータが取付けられ、この電動モータの出力によって前記物置部を変位駆動することを特徴とする。
【発明の効果】
【００１５】
請求項１に係る発明では、フレームは、ハンドルからの距離を調節可能な物置部を備えている。物置部に荷物を載置する際には、ハンドルの近くに物置部を移動させ、ハンドルの近傍において荷物を載せることができる。ハンドルは、作業者が掴む部位であり、作業者の掴みやすい部位に設けるのが一般的である。荷物を物置部に載替える場合には、ハンドルの近傍に位置する物置部に荷物の載替えを行う。作業者は載替え作業を行いやすい高さにおいて、容易に荷物の載替え作業を行うことができる。物置部に載置されている荷物を下ろす場合も同様である。
一方、物置部に荷物を載置した後は、物置部をハンドルから離れた低い位置に移動させる。これにより、重量物を低い位置に移動させ、重心を下げる。重心が低いため、物置部に荷物を載置した状態においても、手押しカートの高い操縦性を確保することができる。
即ち、本発明による手押しカートは、操縦性が高く、且つ、作業性も高いということができる。
【００１６】
請求項２に係る発明では、物置部は、複数であり、互いの位置を入れ替え可能である。１つの物置部に荷物を載置した後に、荷物の載置された物置部を移動させる。荷物の載置された物置部を移動させつつ、荷物が載置されていない物置部を荷物の載置しやすい位置に移動させる。高い作業性を確保しつつ、多くの荷物を載置することができる。
【００１７】
請求項３に係る発明では、物置部は、上下に入れ替え可能な構成である。即ち、物置部を高さ方向において調節することができる。このことにより、特に高い作業性を得ることができる。
【００１８】
請求項４に係る発明では、物置部は、回転軸に取付けられている。即ち、物置部は、回転軸を中心に回転することにより、ハンドルからの距離が調節される。回転軸によって物置部を回転させるため、構成が簡易である。また、回転させることにより、物置部を円滑に移動させることができる。
【００１９】
請求項５に係る発明では、物置部は、回転軸の外周に、互いに均等な間隔を保って配置されている。即ち、物置部同士の間隔が一定である。ある物置部に荷物を載置した後に、回転軸を所定の角度回転させることにより、次の物置部が荷物の載置しやすい場所にセットされる。所定量回転させる度に次の物置部がセットされるので、扱いが容易である。
【００２０】
請求項６に係る発明では、物置部は、互いに離間して配置されている。例えば、手押しカートを食品の買い物用カートとして用いた場合には、一つの物置部に冷凍食品等の冷たい物を載置し、異なる物置部に総菜などの温かい物を載置することができる。即ち、離間されているため、互いの荷物に熱が伝わり難い。一つの手押しカートに様々な温度の荷物を載置することができる。
【００２１】
請求項７に係る発明では、フレームに設けられた回転軸と、この回転軸に支えられると共に回転軸を中心として旋回する複数の物置部とを備えている。回転軸を回転させることにより、ハンドルに対して、物置部の距離を調節することができる。物置部に荷物を載置する際には、ハンドルの近くに物置部を移動させ、ハンドルの近傍において荷物を載せることができる。ハンドルは、作業者が掴む部位であり、作業者の掴みやすい部位に設けるのが一般的である。荷物を物置部に載替える場合には、ハンドルの近傍に位置する物置部に荷物の載替えを行う。作業者は載替え作業を行いやすい高さにおいて、容易に荷物の載替え作業を行うことができる。物置部に載置されている荷物を下ろす場合も同様である。
一方、物置部に荷物を載置した後は、物置部をハンドルから離れた低い位置に移動させる。これにより、重量物を低い位置に移動させ、重心を下げる。重心が低いため、物置部に荷物を載置した状態においても、手押しカートの高い操縦性を確保することができる。
即ち、本発明による手押しカートは、操縦性が高く、且つ、作業性も高いということができる。
【００２２】
加えて、物置部は、複数である。これらの物置部を回転させることにより、互いの位置を入れ替え可能である。１つの物置部に荷物を載置した後に、荷物の載置された物置部を移動させる。荷物の載置された物置部を移動させつつ、荷物が載置されていない物置部を荷物の載置しやすい位置に移動させる。高い作業性を確保しつつ、多くの荷物を載置することができる。
【００２３】
さらに、物置部は、上下に入れ替え可能な構成である。即ち、物置部を高さ方向において調節することができる。このことにより、特に高い作業性を得ることができる。
【００２４】
加えて、物置部は、回転軸に取付けられている。回転軸によって物置部を回転させるため、構成が簡易である。また、回転させることにより、物置部を円滑に移動させることができる。
【００２５】
請求項８に係る発明では、電動モータの出力によって物置部を変位駆動する。作業者が電動モータの作動及び停止を操作することにより、物置部は移動する。即ち、電動モータのオン・オフのみによって物置部を移動させることができるため、操作性を高めることができる。
【図面の簡単な説明】
【００２６】
【図１】実施例１による手押しカートの右側面図である。
【図２】図１の２−２線断面図である。
【図３】図１に示された手押しカートの斜視図である。
【図４】図１に示された物置部の斜視図である。
【図５】図１に示された物置部に荷物を載置する際の作用を説明する図である。
【図６】図５に示された荷物が載置された物置部を変位させる際の作用を説明する図である。
【図７】実施例２による手押しカートの側面図である。
【図８】実施例３による手押しカートの側面図である。
【発明を実施するための形態】
【００２７】
本発明の実施の形態を添付図に基づいて以下に説明する。
なお、説明中、左右とはハンドルを握った状態の作業者を基準として左右、前後とは手押しカートの進行方向を基準として前後を指す。
また、図中Ｆｒは前、Ｒｒは後、Ｌは作業者から見て左、Ｒは作業者から見て右、Ｕｐは上、Ｄｗは下を示している。
【実施例１】
【００２８】
実施例１による手押しカートの構造について、図１乃至図３に基づき説明する。
図１乃至図３に示された手押しカート１０は、買い物用の手押しカートを例示している。
【００２９】
図１乃至図３に示されるように、手押しカート１０は、フレーム２０と、このフレーム２０の下部に取付けられている４つの車輪１２〜１５と、フレーム２０の後端に一体的に取付けられ作業者が掴む左右のハンドル１６Ｌ，１６Ｒ（Ｌは、左を示す添え字、Ｒは右を示す添え字。以下同じ。）と、フレーム２０の前後方向略中央から立ち上げられている左右の支柱１７Ｌ，１７Ｒと、これらの支柱１７Ｌ，１７Ｒの上端間に掛け渡され回転可能な回転軸１８と、この回転軸１８の左右両端からそれぞれ４本ずつ外周に向かって延びているアーム１９と、これらのアーム１９に支持され荷物を載置するための４つの物置部３０と、これらの物置部３０を回転させるために回転軸１８の右端部に取付けられている回転機構５０とからなる。
【００３０】
フレーム２０は、平面視において略矩形を呈すると共に、側面視において略Ｌ字を呈する。フレーム２０は、パイプ状の鋼材によって構成される。具体的には、前部において車幅方向に延びているフロントフレーム２１と、このフロントフレーム２１の両端から後方に向かって延びている左右のサイドフレーム２２Ｌ，２２Ｒと、これらの左右のサイドフレーム２２Ｌ，２２Ｒの後端から上方に向かって延びている左右のアッパフレーム２３Ｌ，２３Ｒとが一体的に形成されている。左右のサイドフレーム２２Ｌ，２２Ｒの後端間には、別部材のリヤフレーム２４が掛け渡されている。
【００３１】
左右のサイドフレーム２２Ｌ，２２Ｒの下部に取付けられている４つの車輪１２〜１５には、フリーキャスターが用いられている。４つの車輪１２〜１５は、左サイドフレーム２２Ｌの前端に取付けられる左前車輪１２と、左サイドフレーム２２Ｌの後端に取付けられる左後車輪１３（図２参照）と、右サイドフレーム２２Ｒの前端に取付けられる右前車輪１４と、右サイドフレーム２２Ｒの後端に取付けられる右後車輪１５とからなる。
【００３２】
左ハンドル１６Ｌは、左アッパフレーム２３Ｌの上端から後端に延びている。左ハンドル１６Ｌには、左グリップ１６Ｌａが被せられている。右ハンドル１６Ｒも同様である。即ち、右ハンドル１６Ｒは、右アッパフレーム２３Ｒの上端から後端に延びている。右ハンドル１６Ｒには、右グリップ１６Ｒａが被せられている。
【００３３】
前述した、フロントフレーム２１、左右のサイドフレーム２２Ｌ，２２Ｒ、左右のアッパフレーム２３Ｌ，２３Ｒに加えて、左右のハンドル１６Ｌ，１６Ｒまでが、１本のパイプを曲げることにより形成されている。
【００３４】
左支柱１７Ｌの下端には、左支柱１７を補強するために、補強部１７ａ，１７ａが形成されている。補強部１７ａ，１７ａは、２枚の略三角形上の板によって構成される。補強部１７ａ，１７ａは、三角形の１辺が左サイドフレーム２２に接合されているとともに、他の１辺が左支柱１７に接合されている。このような補強部１７ａ，１７ａが左支柱１７Ｌの前後に２カ所形成されている。右支柱１７Ｒの下端も同様である。
【００３５】
左支柱１７Ｌの上端には、回転軸１８を回転可能に支持するための軸受部１７ｂが形成されている。軸受部１７ｂには、円筒ころ軸受が取付けられている。右支柱１７Ｒの上端も同様である。回転軸１８は、両端がこれらの軸受部１７ｂ，１７ｂの内輪に差し込まれることにより、回転可能に支持されている。
【００３６】
回転軸１８に９０°毎に取付けられているアーム１９は、全て同じ長さである。また、回転軸１８の左端から延びているアーム１９と、回転軸１８の右端から延びているアーム１９とは、それぞれ対向している。即ち、アーム１９は、左右の対応するアーム１９が対をなしている。
【００３７】
アーム１９の先端には、それぞれピン支持部１９ａが形成され、これらのピン支持部１９ａには、それぞれピン１９ｂが圧入されている。ピン１９ｂは、アーム１９に対して回転不能である。
【００３８】
左右一対のアーム１９によって、４つの物置部３０は、それぞれスイング可能に支持されている。物置部３０は、ピン１９ｂにスイング可能に取付けられ、対向するアーム１９間に掛けられているスイングアーム３１と、スイングアーム３１に支持され荷物としての籠Ｂａが載置されるトレー４０とから形成されている。
【００３９】
スイングアーム３１は、ピン１９ｂに差し込まれる一対の軸部３１ａ，３１ａと、一対の軸部３１ａ，３１ａを繋ぐ２本の棒状部材３１ｂ，３１ｃとからなる。一方の棒状部材３１ｂは、略コ字状を呈し、一対の軸部３１ａ，３１ａ間において、前下方に向かって取付けられている。他方の棒状部材３１ｃは、略コ字状を呈し、一対の軸部３１ａ，３１ａ間において、後下方に向かって取付けられている。側面視において、棒状部材３１ｂ，３１ｃは、軸部３１ａを頂点とした逆Ｖ字を呈する。棒状部材３１ｂ，３１ｃの車幅方向に延びている部位にトレー４０が載せられている。スイング可能に支持されているトレー４０の底部４１は、水平に保たれる。トレー４０の詳細を次図において詳細に説明する。
【００４０】
図４（ａ）に示されるように、トレー４０は、荷物が載置される底部４１及びこの底部４１の車幅方向両端から立ち上げられている側壁部４２，４２とが、正面視略コ字状を呈すると共に、一体的に形成されている。底部４１の前部に車幅方向に延びている前壁部４３は、ヒンジ４４，４４を介して、底部４１に対してスイング可能に取付けられている。後壁部４５も同様である。即ち、底部４１の後部に車幅方向に延びている後壁部４５は、ヒンジ４４，４４を介して、底部４１に対してスイング可能に取付けられている。
【００４１】
側壁部４２，４２の前上部には、それぞれ、爪掛け部４６が取付けられている。側壁部４２，４２の後上部にも、それぞれ、爪掛け部４６が取付けられている。前壁部４３の車幅方向両端には、爪掛け部４６に係合可能なフック状の爪部４７，４７が形成されている。後壁部４５の車幅方向両端にも、爪掛け部４６に係合可能なフック状の爪部４７，４７が形成されている。
【００４２】
図４（ｂ）に示されるように、爪掛け部４６に爪部４７を係合することにより、前壁部４３を立上げた状態に保つことができる。後壁部４５も同様である。
【００４３】
図４（ｃ）に示されるように、爪部４７から車幅方向外側に向かって延びているつまみ部４７ａを掴んで引っ張ることにより、爪掛け部４６から爪部４７を外すことができる。爪掛け部４６から爪部４７を外すことにより、前壁部４３は、倒れる。後壁部４５も同様である。例えば、爪部４７の素材に樹脂を用いて、爪部４７を撓ませることにより、爪部４７を、爪掛け部４６に対して、容易に着脱することができる。
【００４４】
トレー４０よりも大きい荷物を載置する場合には、前壁部４３又は後壁部４５を倒すことにより、荷物を載置することができる。即ち、トレーよりも大きい荷物であっても、載置することができる。また、フレーム（図１、符号２０）からはみ出すことなく、大きな荷物を載置させることができる。フレームから荷物がはみ出すと、外部の設置物に荷物が接触しないよう、通常よりも慎重に手押しカート１０の操縦を行う必要がある。しかし、本発明によれば、フレームからはみ出さずに大きな荷物を載置させることができるため、通常時の操縦性を確保しつつ、大きな荷物も載置することができる。
【００４５】
図１乃至図３に戻り、回転機構５０は、右支柱１７Ｒに取付けられている上部ブラケット６１によって支持されている電動モータ５１と、この電動モータ５１のモータ軸５１ａに取付けられているウォーム５２と、このウォーム５２に噛み合うと共に回転軸１８に取付けられているウォームホイール５３と、右支柱１７Ｒに取付けられている下部ブラケット６２によって支持されているバッテリ５４とからなる。バッテリ５４は、電動モータ５１を作動させるための動力源である。下部ブラケット６２に取付けられているカバー６３によって、回転機構５０は覆われている。
【００４６】
回転機構５０を作動させるためのスイッチ７０は、右ハンドル１６の右グリップ１６Ｒａの前方に取付けられている。スイッチ７０には、シーソースイッチを用いることができる。このような構成の手押しカート１０について、詳細を次図以降において説明する。
【００４７】
図５に示されるように、買い物時に、作業者Ｍｎは、ハンドル１６近傍の物置部３０に籠Ｂａや商品Ｍｅ等の荷物を載せる。
【００４８】
図６に示されるように、荷物を載せたら、作業者Ｍｎは、スイッチ７０を手前に向かって押す。
【００４９】
図１に戻り、スイッチ７０を押すことにより、電動モータ５１が作動する。電動モータ５１が作動することにより、モータ軸５１ａと共にウォーム５２が回転する。これによりウォームホイール５３も回転し、回転軸１８を介して物置部３０を回転させる。
【００５０】
図６に戻り、作業者Ｍｎがスイッチ７０を手前に押すことにより、物置部３０が反時計回りに回転する。手を離すと、物置部３０の回転が止まる。スイッチ７０を前方に向かって押すと、物置部３０が時計回りに回転する。作業者Ｍｎは、商品Ｍｅの載せられた物置部３０が下部に移動し、籠Ｂａのみが載置された物置部３０がハンドル１６の前方に移動するまで、物置部３０を回転させる。
【００５１】
物置部３０に籠Ｂａや商品Ｍｅを載置する際には、ハンドル１６の近くに物置部３０を移動させ、ハンドル１６の近傍において籠Ｂａや商品Ｍｅを載せることができる。ハンドル１６は、作業者Ｍｎが掴む部位であり、作業者Ｍｎの掴みやすい部位に設けるのが一般的である。籠Ｂａや商品Ｍｅを物置部３０に載替える場合には、ハンドル１６の近傍に位置する物置部３０に籠Ｂａや商品Ｍｅの載替えを行う。作業者Ｍｎは載替え作業を行いやすい高さにおいて、容易に籠Ｂａや商品Ｍｅの載替え作業を行うことができる。物置部３０に載置されている籠Ｂａや商品Ｍｅを下ろす場合も同様である。
【００５２】
一方、物置部３０に籠Ｂａや商品Ｍｅを載置した後は、物置部３０をハンドル１６から離れた低い位置に移動させる。これにより、重量物を低い位置に移動させ、重心を下げる。重心が低いため、物置部３０に籠Ｂａや商品Ｍｅを載置した状態においても、手押しカート１０の高い操縦性を確保することができる。
即ち、本発明による手押しカート１０は、操縦性が高く、且つ、作業性も高いということができる。
【００５３】
さらに、物置部３０は、複数であり、互いの位置を入れ替え可能である。１つの物置部３０に商品Ｍｅを載置した後に、商品Ｍｅの載置された物置部３０を移動させる。商品Ｍｅの載置された物置部３０を移動させつつ、商品Ｍｅが載置されていない物置部３０を商品Ｍｅの載置しやすい位置に移動させる。高い作業性を確保しつつ、多くの商品Ｍｅを載置することができる。
【００５４】
加えて、物置部３０は、上下に入れ替え可能な構成である。即ち、物置部３０を高さ方向において調節することができる。このことにより、特に高い作業性を得ることができる。
【００５５】
さらに、物置部３０は、回転軸１８に取付けられている。即ち、物置部３０は、回転軸１８を中心に回転することにより、ハンドル１６からの距離が調節される。回転軸１８によって物置部３０を回転させるため、構成が簡易である。また、回転させることにより、物置部３０を円滑に移動させることができる。
【００５６】
加えて、物置部３０は、回転軸１８の外周に、互いに均等な間隔を保って配置されている。即ち、物置部３０同士の間隔が一定である。ある物置部３０に商品Ｍｅを載置した後に、回転軸１８を所定の角度回転させることにより、次の物置部３０が商品Ｍｅの載置しやすい場所にセットされる。所定量回転させる度に次の物置部３０がセットされるので、扱いが容易である。
【００５７】
さらに、物置部３０は、互いに離間して配置されている。例えば、手押しカート１０を食品の買い物用カートとして用いた場合には、一つの物置部３０に冷凍食品等の冷たい物を載置し、異なる物置部３０に総菜などの温かい物を載置することができる。即ち、離間されているため、互いの荷物に熱が伝わり難い。一つの手押しカート１０に様々な温度の荷物を載置することができる。
【００５８】
加えて、電動モータ５１の出力によって物置部３０を変位駆動する。作業者Ｍｎが電動モータ５１の作動及び停止を操作することにより、物置部３０は移動する。即ち、電動モータ５１のオン・オフのみによって物置部３０を移動させることができるため、操作性を高めることができる。
【００５９】
さらに、物置部３０が回転する方向は、スイッチ７０を押す方向に一致している。このため、物置部３０の回転操作が容易である。
【００６０】
加えて、図１も参照して、電動モータ５１の動力は、ウォーム５２とウォームホイール５３とからなるウォームギヤ機構によって回転軸１８に伝えられる。商品Ｍｅを載置することにより、商品Ｍｅの重さによって、回転軸１８には回転方向に力が加わる。この場合に、ウォーム５２がストッパとなり、物置部３０の回転を防止する。即ち、ウォームギヤ機構を採用することにより、物置部３０の意図せぬ回転を防止するための回転防止装置を別途設ける必要がなくなる。このことにより、部品点数を削減することができる。
【００６１】
なお、回転機構５０には、さらに回転軸１８の回転量を検知する回転量検知センサと、電動モータ５１のオン・オフを制御する制御部を設けることもできる。これらを設けることにより、作業者Ｍｎが一度スイッチ７０を押すことにより、所定の角度だけ物置部３０を回転させることができる。即ち、作業者Ｍｎは、物置部３０が所定の位置に移動するまでスイッチ７０を押し続ける必要がなくなり、操作が容易になる。
【実施例２】
【００６２】
次に、本発明の実施例２を図面に基づいて説明する。
図７には、実施例２による手押しカート１０Ａの側面が示されている。図７は、上記図１に対応させて表している。実施例１による手押しカートに対して、物置部３０の数を２つとした。物置部３０は、互いに１８０°の間隔を開けて配置されている。物置部３０の数を２つとした手押しカート１０Ａにおいても、本発明所定の効果を得ることができる。
【実施例３】
【００６３】
次に、本発明の実施例３を図面に基づいて説明する。
図８には、実施例３による手押しカート１０Ｂの側面が示されている。図８は、上記図１に対応させて表している。実施例１による手押しカートに対して、物置部３０の数を３つとした。物置部３０は、互いに１２０°の間隔を開けて配置されている。物置部３０の数を３つとした手押しカート１０Ｂにおいても、本発明所定の効果を得ることができる。即ち、物置部３０の数は、奇数であってもよい。
【００６４】
尚、本発明による手押しカートは、買い物用の手押しカートを例に説明したが、回転軸の配置される方向や載置部の形状を変更することにより、様々な目的に用いることができる。例えば、回転軸をフレーム上下方向に向けて配置し、物置部にゴルフバックが載置されるゴルフ用手押しカートとすることもできる。即ち、手押しカートは、買い物用の手押しカートに限られるものではない。
【００６５】
また、物置部が２個〜４個設けられている例を基に説明したが、物置部は５個以上設けられていてもよい。さらには、物置部は、１個でもよい。
【００６６】
さらに、作業者によって押される手押しカートを例に説明したが、手押しカートは、走行するためのモータを備えていてもよい。加えて、所定の軌道上を自動運転によって移動するカートであってもよい。即ち、常に手押しによって移動するカートに限られず、手押しによる使用が含まれる物であればよい。
【産業上の利用可能性】
【００６７】
本発明の手押しカートは、買い物用の手押しカートに好適である。
【符号の説明】
【００６８】
１０，１０Ａ，１０Ｂ…手押しカート、１２〜１５…車輪、１６…ハンドル、１８…回転軸、２０…フレーム、３０…物置部、５１…電動モータ、Ｍｎ…作業者、Ｂａ…籠（荷物）、Ｍｅ…商品（荷物）。
【図１】
2014088140.tif 000003
【図２】
2014088140.tif 000004
【図３】
2014088140.tif 000005
【図４】
2014088140.tif 000006
【図５】
2014088140.tif 000007
【図６】
2014088140.tif 000008
【図７】
2014088140.tif 000009
【図８】
2014088140.tif 000010